(57)【要約】【課題】  折畳み式などの理由で下部にパイプ材などによる例えば略Ｕ状の脚を有するポータブルトイレであっても、安定にセットすることが可能な肘掛け装置を提供すること。【解決手段】  ポータブルトイレPTを取出し可能に設置できる肘掛け装置であって、ポータブルトイレPTを載置できる平面形状を有するほぼ平板状のベースプレート１と、該ベースプレート１の外周上に取外し可能に立設した少なくとも４本の支柱と、これらの支柱に架設された左右の肘掛けと背もたれを備えたポータブルトイレPT用肘掛け装置において、前記左右の肘かけ15，16の後部を支持する支柱と背もたれを支持する支柱を共用支柱８，９で形成すると共に、左右の肘かけ15，16の高さ調節と背もたれ10の高さ調節を、夫々に独立して行うことができると同時に、前記肘掛け15，16の調節される高さと背もたれ10の調節される高さが、共用支柱８，９上で干渉しないように形成したこと。【選択図】図１
2010201019.tif 000002
【特許請求の範囲】
【請求項１】
ポータブルトイレを取出し可能に設置できる肘掛け装置であって、ポータブルトイレを載置できる平面形状を有するほぼ平板状のベースプレートと、該ベースプレートの外周上に取外し可能に立設した少なくとも４本の支柱と、これらの支柱に架設された左右の肘掛けと背もたれを備えたポータブルトイレ用肘掛け装置において、前記左右の肘かけの後部を支持する支柱と背もたれを支持する支柱を共用支柱で形成すると共に、左右の肘かけの高さ調節と背もたれの高さ調節を、夫々に独立して行うことができると同時に、前記肘掛けの調節される高さと背もたれの調節される高さが、共用支柱上で干渉しないように形成したことを特徴とするポータブルトイレ用肘掛け装置。
【請求項２】
肘かけ後部と背もたれを支持する共用支柱において、背もたれの支持部は、その端末側が当該共用支柱の内部に挿入されて高さ調節できるように形成されている一方、肘かけ後部は、当該共用支柱の外面において高さ調節できるように形成した請求項１のポータブルトイレ用肘掛け装置。
【請求項３】
左右の肘掛けは、肘かけ部の長さが左右で異なり、かつ、左右で入替えることができるように、入替え前後における左右の肘かけの前部を支持する支柱の立設部を前記ベースプレートの左右両側に形成した請求項１又は２のポータブルトイレ用肘掛け装置。
【請求項４】
左右肘掛けの後部は、肘かけ部より後方側が、肘かけ後部を支持する共用支柱に向けて下り勾配に形成され、その後端部を前記共用支柱の外面に上下位置変更可能に取付けると共に、前記肘かけ部の前方側を、高さ調節可能な前部支柱の上部に取付けた請求項１〜３のいずれかのポータブルトイレ用肘掛け装置。
【請求項５】
ベースプレートは、その上に載置されるポータブルトイレの接地部位を離脱自在に固定できる固定部を設けた請求項１〜４のいずれかのポータブルトイレ用肘掛け装置。
【請求項６】
ベースプレートの手前側上面は、滑り止め粗面に形成した請求項１〜５のいずれかのポータブルトイレ用肘掛け装置。
【請求項７】
ポータブルトイレは、下部側に側面から見て略Ｕ字状乃至略凹状もしくは略Ｌ状の脚を供え、この脚の水平な下部辺が、接地部位としてベースプレートの固定部に、クリップ状の固定部材により着脱可能に固定されるようにした請求項５又は６のポータブルトイレ用肘掛け装置。
【発明の詳細な説明】
【技術分野】
【０００１】
本発明は、屋内，屋外のいずれにおいても使用できる可搬型トイレ、すなわちポータブルトイレ用の肘掛け装置に関する。
【背景技術】
【０００２】
ポータブルトイレは、高齢者や身体不自由者などのため、一般家庭やいわゆる老人ホーム，病院などの室内で使用するため、上面に蓋付き便座を備え、下部に屎尿貯留部を備えたボックス型のものが普及している。このタイプのポータブルトイレは、勿論、屋外に運ぶことができ所用の行き先においても使用できる。なお、ポータブルトイレには、後述するが略トランク状に折畳み格納して運搬できるタイプのものもあるが、本発明はいずれものタイプのポータブルトイレにも適用できるものである。
【０００３】
上記のポータブルトイレは、ボックス型であるため、通常、背もたれや肘掛けを具備していないものが殆んどである。
しかし、ポータブルトイレの使用者は、脚力や腕力が劣えた高齢者や脚や腕などに障害がある身体不自由者であることが多いため、肘掛けや背もたれが無いと、安定に便座の上に座していることが困難な場合が多く、介助者によるサポートを不可欠とすることが多い。
【０００４】
従来より上記のような問題点に鑑み、ポータブルトイレ用の肘掛装置が特許文献１〜４などにより、数多く提案されており、これらの中には実用化されて市場に供給されているものもある。
【０００５】
しかし、従来提案されているポータブルトイレ用の肘掛け装置は、ポータブルトイレの下部外周が略四角形の壁を備えたもの、或は、この下部壁に囲まれた底を有するポータブルトイレに適用するタイプであるため、底部に脚を有するポータブルトイレを安定かつ強固に結合して使用できるものは未だ提案されていない。
【０００６】
すなわち、ポータブトイレの下部外周が平面から見て四角い囲い壁に形成されたもの、或は、この壁に囲まれた底を有するポータブルトイレは、当該底部を、肘掛け装置のベースプレート上に載置するだけでほぼ安定に当該肘掛け装置にセットすることができる。しかし乍ら、ポータブルトイレが折畳み式などの理由で、下部に、一例として略Ｕ状ないし略凹状をなす脚を有するものである場合、肘掛け装置のベースプレート上に前記脚を単に置いただけでは安定な設置状態が得られない場合がある。すなわち、使用者が便座に座ったり、そこから立上がる際にポータブルトイレ本体に使用者の力が作用して、ポータブルトイレがベースプレート上で動いたり、ひいては転倒に及ぶおそれがあるからである。
【先行技術文献】
【特許文献】
【０００７】
【特許文献１】特許第２９９１９６２号公報
【特許文献２】特許第３３６２８４６号公報
【特許文献３】特許第３１４４５４０号公報
【特許文献４】特開平１１−７６１０９号公報
【発明の概要】
【発明が解決しようとする課題】
【０００８】
そこで本発明では、一般的なポータブルトイレに適用して問題ないことは勿論、特に、折畳み式などの理由で下部にパイプ材などによる例えば略Ｕ状の脚を有するポータブルトイレであっても、安定にセットすることが可能な肘掛け装置を提供することを、その課題とする。
【課題を解決するための手段】
【０００９】
上記課題を解決することを目的としてなされた本発明肘掛け装置の構成は、ポータブルトイレを取出し可能に設置できる肘掛け装置であって、ポータブルトイレを載置できる平面形状を有するほぼ平板状のベースプレートと、該ベースプレートの外周上に取外し可能に立設した少なくとも４本の支柱と、これらの支柱に架設された左右の肘掛けと背もたれを備えたポータブルトイレ用肘掛け装置において、前記左右の肘かけの後部を支持する支柱と背もたれを支持する支柱を共用支柱で形成すると共に、左右の肘かけの高さ調節と背もたれの高さ調節を、夫々に独立して行うことができると同時に、前記肘掛けの調節される高さと背もたれの調節される高さが、共用支柱上で干渉しないように形成したことを特徴とするものである。
【００１０】
本発明において、共用支柱上において背もたれの支持部と肘掛けの支持部が干渉しないようにするため、背もたれの支持部の端末（下部）側が当該共用支柱の内部に挿入されて高さ調節できるように形成されている一方、肘かけ後部を、当該共用支柱の外面において高さ調節できるように形成するとよい。
また、左右の肘掛けは、肘かけ部分の長さが左右で異なり、かつ、左右で入替えることができるように、入替え前後における左右の肘かけの前方部を支持する支柱の立設部を前記ベースプレートの左右両側に形成する。
【００１１】
さらに本発明では、左右肘掛けの後部は、肘かけ部より後方側が、肘かけ後部を支持する共用支柱に向けて下り勾配に形成され、その後端部を前記共用支柱の外面に上下位置変更可能に取付けると共に、前記肘かけ部の前方側を、高さ調節可能な前部支柱の上部に取付ける。
【００１２】
本発明肘掛け装置のベースプレートは、その上に載置されるポータブルトイレの接地部位を離脱自在に固定できる固定部を設けた構成とする。そして、前記ベースプレートの手前側上面は、滑り止め粗面に形成することが望ましい。
【００１３】
本発明肘掛け装置を適用するポータブルトイレの好ましい形態の一例としては、ポータブルトイレは、トイレ本体の下部側に側面から見て略Ｕ字状乃至略凹状もしくは略Ｌ状の脚を備え、この脚の水平な下部辺が、接地部位としてベースプレートの固定部にクリップ状の固定部材により着脱可能に固定されるようにしたものである。
【発明の効果】
【００１４】
本発明は、ポータブルトイレを取出し可能に設置できる肘掛け装置であって、ポータブルトイレを載置できる平面形状を有するほぼ平板状のベースプレートと、該ベースプレートの外周上に取外し可能に立設した少なくとも４本の支柱と、これらの支柱に架設された左右の肘掛けと背もたれを備えたポータブルトイレ用肘掛け装置において、前記左右の肘かけの後部を支持する支柱と背もたれを支持する支柱を共用支柱で形成すると共に、左右の肘かけの高さ調節と背もたれの高さ調節を、夫々に独立して行うことができると同時に、前記肘掛けの調節される高さと背もたれの調節される高さが、共用支柱上で干渉しないように形成して肘掛け装置とすると共に、側面から見て略Ｕ字状乃至略凹状もしくは略Ｌ状の脚を備えたポータブルトイレの脚を、ベースプレートの固定部にクリップ状の固定部材により着脱可能に固定されるようにしたので、組立式ポータブルトイレの肘掛け装置としてきわめて有用である。
【図面の簡単な説明】
【００１５】
【図１】ポータブルトイレをセットしない本発明肘掛け装置の斜視図。
【図２】図１の肘掛け装置に、ポータブルトイレの一例をセットした状態の斜視図。
【図３】図２の肘掛け装置の正面図。
【図４】図１，図２の肘掛け装置の左側面図。
【図５】図１の肘掛け装置において肘掛けと背もたれの高さ調節を説明するための側面図。
【発明を実施するための形態】
【００１６】
次に、添付した図を参照して本発明ポータブルトイレ用肘掛け装置の形態例について説明する。
【実施例１】
【００１７】
図１において、１は平面略四角形のベースプレートで、後述する支柱取付用の６ヶ所の凹部２〜７が、当該プレート１の四隅と、このプレート１の左右側の前方寄りに設けられている。
【００１８】
８，９は、ベースプレート１後部の左右の凹部４，５に、プレート１の裏面から螺入するボルトにより、このプレート１の凹部４，５にボルトで緊締して立設した共用支柱である。共用支柱８，９には、その上端から背もたれ10を取付けた横長の逆Ｕ字状の背もたれ支持用のフレーム11における垂直な脚部11a，11bが挿入され、その挿入高さが、調節ネジ12a，12bによって複数段階に変更できるように形成されている。
【００１９】
共用支柱８，９の高さ方向中間部位には、当該支柱８，９にそれぞれ外嵌されたスリーブ体13a，14aと該スリーブ体13a，14aに、それぞれ斜め上向きに取付けられた筒状又は樋状の肘掛け受け13b，14bとから形成され、かつ、調節ネジ13c，14cを具備した肘掛けの後部サポート体13，14が、前記調節ネジ13c，14cにより上下位置変更，固定自在に設けられている。
なお、共用支柱には、上記の調節ネジ12a，12b、同13c，14cを螺入できる複数段階のネジ穴が設けられている。
【００２０】
15，16は、左右の肘掛けで、ほぼ水平な肘掛け本体15a，16aの後部が前記サポート体13，14に結合されて支持される一方、図の例では鉤状形態に曲げられた肘掛け本体15a，16aの前端側に垂下させて設けた細柱状のインサート部15b，16bが、ベースプレート１の前方側の凹部６と同３に、共用支柱８，９の場合と同様のボルト締めにより立設された支柱17，18の内部に挿入されている。支柱17，18の上端部には、インサート部15b，16bの高さを変更し、固定する高さ調節用のネジ17a，18aがカラー部材を介して設けられている。従って、支柱17，18にも調節ネジ17a，18aを螺入できるネジ穴が複数段設けられている。
【００２１】
上記において、左右の肘掛け15，16は、左方の肘掛け本体15aが図の右方の肘掛け本体16aよりも平面から見た長さが短い。それ故に左側の肘掛け15の手前側は、凹部６に立設した支柱17に結合されているのに対し、右側の肘掛け16の手前側は、凹部３に立設した支柱18に結合されている。図の例では、本発明肘掛け装置にセットしたポータブルトイレ（図２参照）に、使用者が左側から入り易いようにするためである。
【００２２】
ここで、ベースプレート１において後方左右の共用支柱８，９と前方側の左右の支柱17，18は、梁状の支柱結合部材19，20により結合され側面から見て大略Ｈ型（又はｈ型）の左右の支柱フレームを形成すると共に、この左右の支柱フレームが左右の共用支柱８，９においてフレーム結合部材21によって結合されている。なお、図において22は、肘掛け16の後部に設けたワイヤ製のハンガー状をなすトイレットペーパーホルダであるが、このホルダ22は肘掛け15の側に設けてもよい。いずれの側に設けるかは任意である。
【００２３】
本発明では、肘掛け15，16を、上記の支柱フレーム単位で左右の入れ替えをすることができるように構成されている。肘掛け15，16の左右の入れ替え態様の一例について、次に説明する。
共用支柱８，９から背もたれ10のフレーム11を外し、次いで左右のｈ型をなす支柱フレームを結合しているフレーム結合部材21を外すと、左右の支柱フレームに前後方向の長さの異なる肘掛け15，16が取付けられた状態でベースプレート１の上に残る。そこで、各支柱８，９、同17，18のボルトを緩めて左右の支柱フレームごとにベースプレート１から取外し、当該左右の支柱フレームを左右で入れ替えると、図示しないが、ベースプレート１の左側に位置した肘掛け16が長く、右側の肘掛け15が短かいものとなるので、左右で入れ替った各支柱９，８、同18，17を、夫々に対応する凹部２，７、同５，４にボルト締めで固定立設することになる。
【００２４】
本発明肘掛け装置では、背もたれ10と肘掛け15，16の高さも、夫々に変更可能であるから、以下に説明する。
背もたれ10の高さ調節は、その調節ネジ12a，12bを緩めて共用支柱８，９にインサートされている脚部11a，11bを所用位置まで引上げ、或は、引下げて、前記調節ネジ12a，12bを締結することにより、変更した高さに背もたれ10を保持できる。
【００２５】
一方、左右の肘掛け15，16は、それぞれに高さ調節可能である。まず、後部の左右のサポート体13，14の調節ネジ13c，14cを緩めると共に、前部のインサート部15b，16bの調節ネジ17a，18aを緩めると、左右の肘掛け15，16とも、引上げ、又は引下げ可能である。従って、肘掛け15，16を所望の高さに位置付けたら、前記調節ネジ17a，18aを締付ければ、左右の肘掛け15，16はその高さ調節した位置に固定することができる。肘掛け15，16のいずれか一方だけの高さ調節も勿論可能である。
【００２６】
本発明では、肘掛け15，16の高さ調節において、共用支柱８，９に装着されているサポート体13，14は、背もたれ10が当該共用支柱８，９の上端部位において高さ調節されるため、当該サポート体13，14を共用支柱８，９の上で上，下に変位させても、背もたれ10の高さ調節部と干渉することが無い。背もたれ10，肘掛け15，16の高さ調節の範囲の例を図５に示す。
【００２７】
本発明肘掛け装置では、ベースプレート１の手前側が緩やかな下り傾斜面に形成されていると共に、滑り止めの凹凸ブロックパターンが形成された滑り止め踏込み面23に形成されている。この構成は使用者がトイレの座面に座ったり、座面から立上がるとき、足にかかる負荷（力）によって使用者の足がベースプレート１の上で滑ることがないようにするためである。
【００２８】
上述した本発明肘掛け装置は、図２〜図４に例示したトランク状に折畳み可能なポータブルトイレPTにも好適に適用できる構成を具備しているので、以下に、当該ポータブルトイレPTの構成の概要と、当該トイレPTをセットするための構成について説明する。
【００２９】
上記ポータブルトイレPTは、座面Ｓの側に着脱式の蓋（図に表われず）を備えた大略トランク状（乃至浅目の箱状）を呈するボックス状本体TBの下部の左右に、大略Ｕ字状の脚L1，L2を具備している。なお、Ｈは堤手となるハンドルである。上記の左右の脚L1，I2は、パイプ製であるため、本発明肘掛け装置のベースプレート１の上に、単に置くだけでは安定性に不安がないとはいえない。
【００３０】
そこで、本発明肘掛け装置では、前記Ｕ字状をなす脚L1，L2の水平な接地辺（接地部）をベースプレート１の上に着脱自在に固定するため、当該プレート１上の４ヶ所に、断面が略逆Ｕ字状をなす脚止め用クリップCLを装備している。この４個の脚止め用クリップCLは、ベースプレート１から取外し可能にして、本体下部の型式が異なる他のポータブルトイレの設置の邪魔にならないように設けられている。
【００３１】
本発明肘掛け装置では、図示したポータブルトイレPTに対しては、その左右の脚L1，L2の左右の接地辺２箇所が、前記クリップCLで抱持するようにベースプレート１に止着されるので、当該トイレPTが使用した際に位置ズレを生じたり転倒するといったことは全く生じない。
【産業上の利用可能性】
【００３２】
本発明は以上の通りであって、ポータブルトイレを取出し可能に設置できる肘掛け装置であって、ポータブルトイレを載置できる平面形状を有するほぼ平板状のベースプレートと、該ベースプレートの外周上に取外し可能に立設した少なくとも４本の支柱と、これらの支柱に架設された左右の肘掛けと背もたれを備えたポータブルトイレ用肘掛け装置において、前記左右の肘かけの後部を支持する支柱と背もたれを支持する支柱を共用支柱で形成すると共に、左右の肘かけの高さ調節と背もたれの高さ調節を、夫々に独立して行うことができると同時に、前記肘掛けの調節される高さと背もたれの調節される高さが、共用支柱上で干渉しないように形成して肘掛け装置とする一方、これに適用するポータブルトイレを、下部側に側面から見て略Ｕ字状乃至略凹状もしくは略Ｌ状の脚を供え、この脚の水平な下部辺が、接地部位としてベースプレートの固定部に、クリップ状の固定部材により着脱可能に固定されるようにしたから、通常のポータブルトイレに適用できることは勿論のこと、Ｕ字状などの脚を備えた折畳み式ポータブルトイレにも好適に適用することができるので、適用範囲が広い上に使い勝手が良好である。
【符号の説明】
【００３３】
１        ベースプレート
２〜７    支柱立設用の凹部
８，９    共用支柱
10        背もたれ
11        背もたれフレーム
13，14    肘掛け後部のサポート体
15，16    左右の肘掛け
17，18    前方の支柱
19，20    支柱結合部材
21        支柱フレーム結合部材
22        ペーパホルダ
23        滑止め踏込み部
PT        ポータブルトイレ
L1，L2    ポータブルトイレの左右の脚
CL        脚止め用クリップ
【図１】
2010201019.tif 000003
【図２】
2010201019.tif 000004
【図３】
2010201019.tif 000005
【図４】
2010201019.tif 000006
【図５】
2010201019.tif 000007